(57)【要約】【課題】  効率的な組立てにより工期の短縮化が図れるようにする。【解決手段】  車載用パレットを車長方向、車幅方向に搬送できる機構が備えられているパレット搬送用ユニット１に、柱２の上端部を取り付けて、該パレット搬送用ユニット１を上層とする駐車フレーム３を形成する。この駐車フレーム３を設置位置に搬送して据付ける。同様に、パレット搬送用ユニット１に柱２の上端部を取り付けて形成した駐車フレーム３を、既に据付けられた駐車フレーム３に隣接させて組付ける作業を順次繰り返して、上層の駐車装置を組立てる。しかる後、上層の駐車装置の各駐車フレーム３の下部に、パレット搬送用ユニット１を搬送して組付け、下層の駐車装置を組立てる。【選択図】図８
2015117519.tif 000002
【特許請求の範囲】
【請求項１】
車載用パレットを車長方向、車幅方向に移動させる機構が備えられているパレット搬送用ユニットを、リフターで持ち上げて、この状態で柱の上端部を前記パレット搬送用ユニットに取り付けて上層の駐車フレームを形成し、
次いで、前記駐車フレームを、設置位置で下降させて、該駐車フレームの柱の下端を基礎面に組付け、
次に、前記設置位置で柱の下端を組付けて据付けた駐車フレームに隣接させて、前記手順を繰り返して形成した駐車フレームを順次組付けて、上層の駐車装置を組立て、
しかる後、前記上層の駐車装置の各駐車フレームの下部に、パレット搬送用ユニットを組付けて下層の駐車装置を組立てること
を特徴とする複層式駐車装置の組立工法。
【請求項２】
パレット搬送用ユニットを、設置位置の近くまで搬送してリフターで持ち上げて、この状態で柱の上端部を前記搬送用ユニットに取り付けて上層の駐車ユニットを形成し、
前記駐車フレームを、前記リフターで持ち上げて支持した状態で設置位置まで移動させた後、該駐車フレームを下降させるようにする
請求項１記載の複層式駐車装置の組立工法。
【請求項３】
柱を、キャスター台車付き柱とし、
該キャスター台車付き柱を、リフターで持ち上げられた状態のパレット搬送用ユニットの位置までキャスター台車を介して搬送させ、
直立状態の柱の上端部を、前記パレット搬送用ユニットに取り付けた後、リフターで前記パレット搬送用ユニットを更に持ち上げて、柱のキャスター台車を取り外し、駐車フレームとする
請求項１又は２記載の複層式駐車装置の組立工法。
【発明の詳細な説明】
【技術分野】
【０００１】
本発明は、複層式駐車装置の組立工法に関するもので、主として、地下に建設される機械式駐車装置における水平循環方式の駐車装置の組立工法に関するものである。
【背景技術】
【０００２】
機械式駐車装置には、各種形式のものがあるが、地下を利用した駐車装置としては、たとえば、複層式の水平循環方式の駐車装置がある。
【０００３】
地下式駐車装置としての前記水平循環方式の駐車装置は、各層で車両を載せたパレットを、次から次へ循環させるようにしてある。
【０００４】
かかる水平循環式の駐車装置の如き複層式駐車装置を組立てる方法は、従来既に提案されている。
【０００５】
その一例を示すと、下層の駐車フレームを設置して、その駐車フレームの各コーナ部に支柱を立設する。次に、下層の駐車フレーム上に、ダミーパレットの上面に押上げリフト装置を備えた据付作業車を搭載する。次いで、前記押上げリフト装置により上層の駐車フレームを前記支柱よりも高く押し上げて、据付作業車を据付位置まで走行させる。しかる後に、据付位置で押上げリフト装置を下降させて、上層の駐車フレームを、前記支柱に取り付ける、という工程で組立てるものが提案されている（たとえば、特許文献１参照）。
【０００６】
前記特許文献１に記載されたものは、複層式駐車装置を、下層から上層の順に組立てて行くものであるため、下層の組立て後に電気工事が行われ、下層の電気工事が終ってから、上層の組立てが行われることになる。そのため、工期が長くなり、これに伴いコストもアップするという問題がある。
【０００７】
又、複層式駐車装置の組立てにおいて、上層から下層の順に組立てるようにしたものとして、タワー式立体駐車場のジャッキアップ式建設工法がある。この工法は、最上層階に鉄骨構造物の箱状体をジャッキアップ装置の昇降体により高さ１階分だけ上昇させ、該最上層階の各支柱の下端に、下の階の支柱を継ぎ足し、その下の階の各支柱を介してジャッキアップ装置の固定短支柱上に最上層階の箱状体を支えた上、前記昇降体と箱状体との結合を解き、昇降体を元の位置に下げ、以後、同様の手順で箱状体を上下方向に積み重ねてタワー式立体駐車場を建設するものである（たとえば、特許文献２参照）。
【０００８】
特許文献２に記載されたものは、タワー式立体駐車場の建設において、先に最上層階の鉄骨構造物の箱状体を形成して、この箱状体を上昇させる手順を繰り返して箱状体を上下方向に積層させるものである。
【０００９】
したがって、前記特許文献２に記載されたものは、上層から組立てるものではあるが、ジャッキアップ装置の支柱上で最上層階の鉄骨構造物の箱状体を形成するものであり、箱状体の形成から上昇までに多くの時間を要するものである。
【先行技術文献】
【特許文献】
【００１０】
【特許文献１】特開平５−１３３１２８号公報
【特許文献２】特開平５−１８１３２号公報
【発明の概要】
【発明が解決しようとする課題】
【００１１】
そこで、本発明は、作業効率を高めて工期の短縮が図れるようにする複層式駐車装置の組立工法を提供しようとするものである。
【課題を解決するための手段】
【００１２】
本発明は、前記課題を達成するために、請求項１に対応して、車載用パレットを車長方向、車幅方向に移動させる機構が備えられているパレット搬送用ユニットを、リフターで持ち上げて、この状態で柱の上端部を前記パレット搬送用ユニットに取り付けて上層の駐車フレームを形成し、次いで、前記駐車フレームを、設置位置で下降させて、該駐車フレームの柱の下端を基礎面に組付け、次に、前記設置位置で柱の下端を組付けて据付けた駐車フレームに隣接させて、前記手順を繰り返して形成した駐車フレームを順次組付けて、上層の駐車装置を組立て、しかる後、前記上層の駐車装置の各駐車フレームの下部に、パレット搬送用ユニットを組付けて下層の駐車装置を組立てることとする。
【００１３】
又、請求項２に対応して、パレット搬送用ユニットを、設置位置の近くまで搬送してリフターで持ち上げて、この状態で柱の上端部を前記搬送用ユニットに取り付けて上層の駐車ユニットを形成し、前記駐車フレームを、前記リフターで持ち上げて支持した状態で設置位置まで移動させた後、該駐車フレームを下降させるようにする。
【００１４】
更に、前記構成において、柱を、キャスター台車付き柱とし、該キャスター台車付き柱を、リフターで持ち上げられた状態のパレット搬送用ユニットの位置までキャスター台車を介して搬送させ、直立状態の柱の上端部を、前記パレット搬送用ユニットに取り付けた後、リフターで前記パレット搬送用ユニットを更に持ち上げて、柱のキャスター台車を取り外し、駐車フレームとする。
【発明の効果】
【００１５】
本発明の複層式駐車装置の組立工法によれば、以下の如き優れた効果を発揮する。
（１）上層の駐車装置の組立てが終ってから、下層の駐車装置の組立てを行うので、上層の駐車装置の組立てが終った時点で電気工事等の必要な工事を上層の駐車装置で行うことができ、この工事と並行して下層の駐車装置の組立てができて、効率的な組立てを実現することができる。これにより、工期の短縮化を図ることができて、コストの削減が図れる。
（２）上層の駐車フレームを順次組付けて、上層の駐車装置の組立てを行うときに、クレーンや作業足場等を一切不要としているので、狭い空間での駐車装置の組立てに有効である。
【図面の簡単な説明】
【００１６】
【図１】本発明の複層式駐車装置の組立工法により地下に複層式駐車装置を組立てるレイアウトの一例と第１工程の一例を示す概略平面図である。
【図２】本発明の複層式駐車装置の組立工法の第１工程を示すもので、（ａ）（ｂ）（ｃ）（ｄ）はパレット搬送用ユニットの搬入、設置場所近傍位置までの搬送、持上げの組立手順を示す図、（ｅ）は（ｃ）のＸ部拡大図である。
【図３】本発明の第１工程を示すもので、（ａ）（ｂ）（ｃ）は図２（ｄ）に続く手順から２層目のパレット搬送用ユニットの組立てが終了するまでの組立手順を示す側面図、（ｄ）は（ａ）の斜視図、（ｅ）は（ｃ）の斜視図である。
【図４】本発明の複層式駐車装置の組立工法の第２工程を示すもので、（ａ）（ｂ）（ｃ）（ｄ）は組立手順を示す斜視図である。
【図５】本発明の複層式駐車装置の組立工法の第２工程で順次組立てられて行く状況を示す概略平面図である。
【図６】本発明の複層式駐車装置の組立工法の第３工程の一例を示すもので、（ａ）（ｂ）（ｃ）（ｄ）は組立手順を示す斜視図である。
【図７】地下に複層式駐車装置の組立てが完了した状態の平面図である。
【図８】本発明の複層式駐車装置の組立工法の第４工程を示すもので、（ａ）（ｂ）（ｃ）は既設の駐車フレームの下端部への１層目のパレット搬送用ユニットの搬送と組付けを行う手順を示す図である。
【発明を実施するための形態】
【００１７】
以下、本発明を実施するための形態を図面を参照して説明する。
【００１８】
図２（ａ）（ｂ）（ｃ）（ｄ）乃至図８（ａ）（ｂ）（ｃ）は、一例として、図１に示す地下式の駐車装置のレイアウトに沿って２層式の駐車装置を組立てる場合の本発明の複層式駐車装置の組立工法の手順を示すものである。
【００１９】
本発明の複層式駐車装置の組立工法は、第１工程、第２工程、第３工程により、２階となる２層目の駐車装置の組立てを先に行い、次いで、第４工程により、１階となる１層目の駐車装置の組立てを行うことを特徴とするものである。
【００２０】
以下、本発明の複層式駐車装置の組立工法の概要を、第１、第２、第３及び第４工程に沿って説明する。
【００２１】
先ず、第１工程では、図１乃至図３に示す如く、複層式駐車装置の２層の組立てを行うパレット搬送用ユニット１を、搬送台車４により、図１に示す駐車装置組立区画Ａ内の目的の設置位置Ｂの近傍位置まで搬送した後、専用のリフター５で持ち上げる。次いで、前記持ち上げられたパレット搬送用ユニット１の四隅部に、柱２の上端を取り付けて一体としてなる２層の駐車フレーム３を、リフター５で前記設置位置Ｂまで搬送して、各柱２の下端を基礎面６に固定して１つの設置位置Ｂにパレット搬送用ユニット１を備えた駐車フレーム３の組付けを行わせる。
【００２２】
第２工程では、図４に示す如く、前記第１工程で組立てを終えた既設の駐車フレーム３のパレット搬送用ユニット１に、次のパレット搬送用ユニット１を、隣接するように搬送させた後、第１工程の組立手順の場合と同様に専用のリフター５による持ち上げ、柱２の取り付け、前記リフター５による搬送の手順を経てパレット搬送用ユニット１を既設の駐車フレーム３の柱２の上端に一体構造に組付けるものである。第２工程では、かかる作業を繰り返して、順次既設となる駐車フレーム３に順次新たなパレット搬送用ユニット１を隣接させて組付けて行くようにする。
【００２３】
第３工程では、前記第２工程で一体に組立てられた２層のパレット搬送用ユニットの別の側面に、順次パレット搬送用ユニット１を隣接させるように搬送させて、前記と同様に、専用のリフター５による持ち上げ、柱２の取り付け、前記リフター５による搬送の手順を経て既設の駐車フレーム３の柱２上端部への取り付けを行って、一体構造に組付けて行くようにする。
【００２４】
第４工程では、前記第１〜第３工程ですべての設置位置Ｂへの２層の駐車装置の組立てが終了した後に、各設置位置Ｂに１層のパレット搬送用ユニット１の組付けを行い、複層式駐車装置を組立てて行くようにする。
【００２５】
本発明の複層式駐車装置の組立工法の概要は、前記したとおりであるが、本発明の複層式駐車装置の組立工法は、パレット搬送用ユニット１を搬送する図２（ａ）（ｂ）に示す搬送台車４と、図８（ｂ）に示す搬送台車４ａと、専用リフター５と、柱２を搬送するため該柱２の下端に取り付けられているキャスター台車７を駆使して、地下の限られた駐車装置組立区画Ａ内に２層式の水平循環方式の駐車装置を、効率よく組立てることができるようにするものである。
【００２６】
そこで、本発明の複層式駐車装置の組立工法を第１工程から説明する前に、本発明の組立工法に用いる前記搬送台車４，４ａ、専用のリフター５、キャスター台車７付き柱２について説明する。
【００２７】
前記搬送台車４は、図２（ａ）（ｂ）に示す如く、２層（上層）の駐車装置を構成するパレット搬送用ユニット１の長手方向の両端部を載置させる２台１組からなるものとしてある。２台の搬送台車４は、パレット搬送用ユニット１を、専用のリフター５の非作動時の高さ寸法よりも高い位置に支持するように、パレット搬送用ユニット１載置面の高さが決められている。これにより２台の搬送台車４は、パレット搬送用ユニット１の両端部を支持して、２人の作業者の操作で目的場所へ搬送できて、専用のリフター５の上方にパレット搬送用ユニット１を位置させることができるようにしてある。
【００２８】
もう１つの搬送台車４ａは、１層（下層）の駐車装置を構成するパレット搬送用ユニット１を搬送するもので、高さが低く、パレット搬送用ユニット１の中央部分を載置させるようにしてある。
【００２９】
前記専用のリフター５は、基台８上に伸縮部９を介して上端の支持台１０が取り付けられ、電動又は油圧で伸縮部９が伸縮させられて上端の支持台１０が昇降させられるようにしてある。更に、前記リフター５には、基台８の下面に、エアーキャスター台車１１が組付けられ、前記駐車装置組立区画Ａの基礎面６上を移動できるような構成とされている。又、前記リフター５の上端の支持台１０には、図２（ｅ）に示す如く、ずれ防止用ピン１２が上向きに取り付けられており、該ずれ防止用ピン１２がパレット搬送用ユニット１に離脱可能に係合されて、該パレット搬送用ユニット１がリフター５で持ち上げられるときに、両者のずれ防止が図れるようになっている。
【００３０】
又、前記キャスター台車７付き柱２は、前記駐車装置組立区画Ａの基礎面６と２層位置との間の高さ寸法に対応する長さとしてある柱２の下端に、キャスター台車７を備えて、キャスター台車７により柱２直立状態のまま搬送ができるようにしてある。前記柱２には、上下両端部に、ボルト孔付き四角形状のフランジ１３，１４が取り付けられていて、下端部のフランジ１４に、キャスター台車７のフレームがボルトとナットで容易に取り外しができるように取り付けられている。
【００３１】
本発明の複層式駐車装置の組立工法は、２層式の駐車装置を組立てる場合に、１層よりも２層の方を先に組立てる。
【００３２】
その場合は、先ず、図２（ａ）（ｂ）に示す如く、地上から地下への搬入部ＣでホイストＤにより吊り下ろされて搬入されたパレット搬送用ユニット１を、相対向させて配置した２台の搬送台車４に載せ、搬送台車４を２人の作業者の操作で目的場所へ基礎面６上を搬送させる。
【００３３】
なお、前記パレット搬送用ユニット１は、予め工場で製作されてから組立現場へ搬入されるものである。このパレット搬送用ユニット１は、その上に載置される図示しない車載用のパレットを、自動的に車長方向（パレット長手方向）及び車幅方向（パレット幅方向）に搬送できる機構を備えているもので、既存のものと構成は同じである。そのため、図では、説明の便宜上、詳細な構成は省略してある。
【００３４】
初めのパレット搬送用ユニット１は、図１に示す如く、駐車装置組立区画Ａ内の搬入部Ｃより最も遠くの位置にある設置位置Ｂの近傍位置までパレット搬送用ユニット１を搬送させ、図２（ｃ）に示す如く、予め待機させてある専用のリフター５の上方に２台の搬送台車４に載せたままのパレット搬送用ユニット１の中央部分を位置させる。
【００３５】
次に、専用のリフター５を伸長作動させて、支持台１０をパレット搬送用ユニット１の下面に接触させて支持させると共に、ずれ防止用ピン１２をパレット搬送用ユニット１に係合させてずれ防止を行った状態とし、図２（ｄ）に示す如く、リフター５を長くしてパレット搬送用ユニット１を、上階となる２階の位置まで持ち上げさせる。
【００３６】
この状態で、図３（ａ）（ｄ）に示す如く、キャスター台車７付き柱２を、キャスター台車７を介し搬送させて、前記持ち上げられたパレット搬送用ユニット１の四隅部の下方位置に、キャスター台車７付き柱２の各上端部を位置させる。
【００３７】
次いで、前記専用のリフター５を短縮作動させて、パレット搬送用ユニット１を下げ、該パレット搬送用ユニット１の四隅部を、各キャスター台車７付き柱２の上端部の四角形状のフランジ１３の一部、詳しくは、四角形の一角部上に載置させる。しかる後、パレット搬送用ユニット１の隅部に、柱２の上端を、フランジ１３のボルト孔を利用してボルト接続させる。このボルト接続は、図３（ａ）（ｄ）に示す如く、作業台１５上に乗った作業者によって行われる。
【００３８】
前記パレット搬送用ユニット１への柱２の連結が終ると、前記リフター５を再び上昇させて、各キャスター台車７付き柱２の下端側を基礎面６より浮かせる。この状態で、各柱２とキャスター台車７とを切り離して、パレット搬送用ユニット１と柱２とからなる駐車フレーム３を形成させる。
【００３９】
このようにして形成された駐車フレーム３は、リフター５で持ち上げられて柱２の下端部が基礎面６から離れた姿勢のまま、該リフター５とともに図３（ｂ）のように移動させる。図１の設置位置Ｂのレイアウトに合わせて正規の設置位置には、基礎面６にアンカーボルト１６が設けられている。図３（ｂ）に示す如く、リフター５で持ち上げられている駐車フレーム３をリフター５とともに移動して、各柱２の下端のフランジ１４がアンカーボルト１６の位置にくると、リフター５を短縮作動させて駐車フレーム３を下降させ、柱２下端部のフランジ１４のボルト孔をアンカーボルト１６に嵌合させる。続いて、柱２下端部のフランジ１４に通されたアンカーボルト１６に上方よりナットを螺合させることにより締結して、柱２の下端部を基礎面６に固定させ、１つの設置位置Ｂへの駐車フレーム３の組付けを終了させる。
【００４０】
このようにして、１つの設置位置Ｂへの駐車フレーム３の組付けが終了すると、図３（ｅ）に示す如く、リフター５を短縮させて最も低い姿勢とさせた後、リフター５を既に組付けられた駐車フレーム３のパレット搬送用ユニット１の下から引き出し、次に駐車フレーム３を組付ける位置の近傍に待機させておく。
【００４１】
以上、図２（ａ）（ｂ）から図３（ｅ）に至る一連の組立手順の第１工程が終了すると、かかる第１工程は、設置位置Ｂの数に対応する回数だけ繰り返して、第２工程の組付けと、第３工程の組付けを行わせる。すなわち、第２工程は、図４（ａ）（ｂ）（ｃ）（ｄ）に示す手順で、既設の駐車フレーム３の車幅方向に隣接させて駐車フレーム３を組付けることにより、図５に示すように、車幅方向に並べる駐車装置の組立てを行わせる。
【００４２】
第３工程は、図５に示すように、複数の駐車フレーム３が隣接させられて組付けられた後、前記第１工程を繰り返して、図６（ａ）（ｂ）（ｃ）（ｄ）に示す手順で、既設の各駐車フレーム３におけるパレット搬送用ユニット１の長手方向の一端側に駐車フレーム３を隣接させて組付けを行い、図７に示すように、車長方向に並べる駐車装置の組立てを行わせる。
【００４３】
前記説明では、第１工程終了後、第２工程、第３工程の順で組付けを行う場合を説明したが、図１に示す如き設置位置Ｂのレイアウトの場合は、第２工程から第３工程の順となるが、レイアウトによっては、第３工程から第２工程の順で組立てることは可能であり、第２工程と第３工程はどちらを先行させてもよい。
【００４４】
なお、前記第２工程では、第１工程で組立て終えた駐車フレーム３を既設の駐車フレームとして、その車幅方向に駐車フレーム３を、図４（ａ）（ｂ）（ｃ）（ｄ）のような手順で組付けるために、リフター５で持ち上げられたパレット搬送用ユニット１への柱２の取り付けは、図４（ｂ）（ｃ）に示すように、既設の駐車フレーム３側とは反対側の２個所のコーナーのみとし、該パレット搬送用ユニット１の既設の駐車フレーム３側の２個所のコーナーは、既設の駐車フレーム３の柱２上端部に載置させて一体に連結させるようにしてある。
【００４５】
又、第３工程では、第２工程で組付けられた各駐車フレーム３の車長方向に駐車フレーム３を、図６（ｂ）（ｃ）のような手順で組付けるために、リフター５で持ち上げられたパレット搬送用ユニット１への柱２の取り付けは、既設の駐車フレーム３側とは反対側の２個所のコーナーのみとし、該パレット搬送用ユニット１の既設の駐車フレーム３側の２個所のコーナー部は、既設駐車フレーム３の柱２の上端部に載置させて一体に連結させるようにしてある。
【００４６】
前記第１工程、第２工程、第３工程により、２層式駐車装置の上階となる２層目の組立てが終了すると、パレット搬送用ユニット１を各駐車フレーム３の下端部に設置して、１層の駐車装置の組立てを行う第４工程を実施させる。
【００４７】
すなわち、第４工程は、図８（ａ）（ｂ）（ｃ）に示す如く、パレット搬送用ユニット１を搬送台車４ａに載せた状態で車長方向へ搬送させる。搬送台車４ａは、図８（ｂ）に示す如く、パレット搬送用ユニット１を低い位置で搬送できるように高さの低い構成としてある。パレット搬送用ユニット１が図８（ａ）に矢印で示す方向に、各駐車フレーム３の柱２同士の間を通りながら目的の駐車フレーム３の下部位置まで搬送されると、図８（ｂ）に示す如く、２層のパレット搬送用ユニット１にチェンブロック１７を取り付け、１層のパレット搬送用ユニット１に玉掛けする。
【００４８】
次に、チェンブロック１７を巻き上げて、１層のパレット搬送用ユニット１を上昇させ、搬送台車４ａを該パレット搬送用ユニット１の下から外方へ移動させる。しかる後、図８（ｃ）の如く、チェンブロック１７の操作で１層のパレット搬送用ユニット１を下降させ、別途用意したユニット架台に載せ、且つ柱２に連結させる。
【００４９】
このようにして、１層のパレット搬送用ユニット１の組付けが終ると、該１層のパレット搬送用ユニット１から玉掛けを外し、チェンブロック１７を取り外して、チェンブロック１７は、次に１層の組立てを行う隣接する駐車フレーム３の２層のパレット搬送用ユニット１に取り付けておくようにする。
【００５０】
第４工程は、このような組立手順を繰り返して、各設置位置Ｂに１層のパレット搬送用ユニット１を隣接して組み立てて、１層の駐車装置を組立てるようにする。
【００５１】
本発明の複層式駐車装置の組立工法においては、前記したように、２層式の駐車装置の場合には２層の組立てを先に行い、２層の組立てが終了した後に、１層の組立てを行うようにしてあるため、２層の組立てが終了した時点で電気工事を行うことが可能である。しかも、この２層の電気工事の間に１層の組立てを並行して行うことができる。そのため、効率的な組立てができて、組立に要する時間を短縮させることが可能となる。
【００５２】
又、本発明においては、第１工程、第２工程、第３工程において、いずれもクレーンを用いたり、作業足場を架設したりすることなく、２層のパレット搬送用ユニット１に柱２の上端部を取り付けて、該パレット搬送用ユニット１と柱２とを一体化した駐車フレーム３を形成するようにしてあるため、クレーンの設置や足場の架設に要する時間とコストを抑えることが可能となる。更に、柱２は、キャスター台車７付きとしてあるため、立てた状態で搬送することができ、柱２の一端をパレット搬送用ユニット１に取り付けるときに、柱２を立てる操作が不要となり、組立作業を容易且つ迅速に行わせることができるという利点を有する。
【００５３】
なお、本発明の複層式駐車装置の組立工法は、一例として２層式の場合を説明したが、これに限定されるものではなく、３層式の駐車装置も、同様の組立手順で組立てることができる。この場合は、２層と１層を組立てた後、柱の下端部を基礎面のアンカーボルトにて固定することなく、リフターで上昇させ、この状態で柱の継足し、柱の下端部からのキャスター台車の切り離し、柱の下端部のアンカーボルトへの取り付け、１層へのパレット搬送用ユニットの組付けを行うようにすればよい。パレット搬送用ユニット１を２台の搬送台車４で搬送させる場合を示したが、搬送手段はこれに限定されるものではなく、考え得られるあらゆる手段を採用してもよい。
【００５４】
その他本発明の要旨を逸脱しない範囲内で種々変更を加え得ることは勿論である。
【符号の説明】
【００５５】
１  パレット搬送用ユニット
２  柱
３  駐車フレーム
４，４ａ  搬送台車
５  リフター
６  基礎面
７  キャスター台車
１７  チェンブロック
【図１】
2015117519.tif 000003
【図２】
2015117519.tif 000004
【図３】
2015117519.tif 000005
【図４】
2015117519.tif 000006
【図５】
2015117519.tif 000007
【図６】
2015117519.tif 000008
【図７】
2015117519.tif 000009
【図８】
2015117519.tif 000010